(57)【要約】【課題】充電端子接点部を非充電時には充電器ケース内に納まるようにすることで外部に露出させず、携帯電話機等電子機器装着時には充電端子の接点部が電子機器側の充電端子表面を擦るように大きく突出させることで充電器の接続不良を防止した充電器構造の提供を目的とする。【解決手段】充電器ケース内にスイベルアームを回動軸を介して備え、前記回動軸とは所定の間隔を隔ててスイベルアームに充電端子を連結し、この充電端子の接点部が突出あるいは没入する開口部を充電器ケースに形成し、スイベルアームの回動により充電端子の接点部が電子機器側の受電端子にその表面を擦るように移動しながら接続する。【選択図】  図３
2005117703.tif 000002
【特許請求の範囲】
【請求項１】
電子機器の充電器において、充電器ケース内にスイベルアームを回動軸を介して備え、前記回動軸とは所定の間隔を隔ててスイベルアームに充電端子を連結し、この充電端子の接点部が突出あるいは没入する開口部を充電器ケースに形成し、スイベルアームの回動により充電端子の接点部が電子機器側の受電端子の表面を擦るように移動しながら接続することを特徴とする充電器。
【請求項２】
充電器ケース内にて、前記スイベルアームにロッドの一端を連結し、ロッドの移動に伴ってスイベルアームが回動して充電端子の接点部が充電器ケースの開口部より外側に突出するようにしたことを特徴とする請求項１記載の充電器。
【請求項３】
充電器ケースに開口部を形成して、スイングボタンの上部がこの開口部から外部側に突出するように回動自在にスイングボタンを備え、このスイングボタンの下部側に前記ロッドの他端を連結し、電子機器を充電器に装着する際にこの電子機器ケース部によりスイングボタンの上部が押し込まれることにより、前記ロッドが移動するようにしたことを特徴とする請求項２記載の充電器。
【請求項４】
充電器ケースに電子機器の装着用係止部を形成し、当該電子機器をこの装着用係止部に臨ませた後に、充電器ケースの開口部より外部側に充電端子の接点部が突出し電子機器側の受電端子に直接的に接続するようにしたことを特徴とする請求項１〜請求項３のいずれかに記載の充電器。
【発明の詳細な説明】
【技術分野】
【０００１】
本発明は、接続不良の防止に効果的な携帯電話機等の電子機器用充電器構造に係る。
【背景技術】
【０００２】
携帯電話機等の電子機器においては内蔵している電池を充電するために充電器が用いられる。
このような充電器では、従来その充電端子が常時外部に露出しているものが一般的であり、金属製品にて短絡する恐れや、人が触れた際に低電圧ではあるが不快感を感じたり、人によっては傷害（電激傷害）を発生させる恐れがあった。
また電子機器の充電器への装着時に、電子機器の受電端子は安全上ケース部に凹部を設けて取り付けられているので、充電器の充電端子部分が外部に突出していると、まず先にケース部分にあたり擦れてしまい、樹脂や塗装を剥がし、充電器接点部分に付着し、充電不良を起こす場合もある。
また、電子機器の受電端子や、充電器の充電端子の接点部は経時変化により絶縁性の皮膜が形成される場合もあり、このような絶縁性皮膜を除去しないと充電不良の原因となる場合もあった。
特開２００３−１６９１２１号公報、特開２０００−１３４８０８号公報には充電端子を突出させて、携帯電話機などの受電端子に接触させる技術が開示されているが、充電端子が携帯電話機の装着方向に対向して突出するだけなので、絶縁性皮膜への対応が不充分であった。
特開２００２−２７２００４号公報には、携帯通信機が充電器に装着されていない場合に充電端子を充電器ケースに収容し、その充電端子用の切り欠きにブラシを付けて、充電端子が突出する時に、この充電端子の洗浄を行う技術が開示され、特開平１０−１７２６１７号公報には、充電器の充電端子の開口部に移動可能な遮蔽部材を設け、非充電時には充電用端子をこの遮蔽部材で覆った状態とし、その遮蔽部材に設けたブラシにより、充電用端子のクリーニングを行う技術が開示されているが、携帯通信機の受電端子の絶縁皮膜に対しては効果がない。
また、電子機器の装着による充電端子の突出量が小さいという問題もあった。
【０００３】
【特許文献１】特開２００３−１６９１２１号公報
【特許文献２】特開２０００−１３４８０８号公報
【特許文献３】特開２００２−２７２００４号公報
【特許文献４】特開平１０−１７２６１７号公報
【発明の開示】
【発明が解決しようとする課題】
【０００４】
本発明は上記技術的課題に鑑みて、充電端子の接点部を非充電時には充電器ケース内に納まるようにすることで外部に露出させず、電子機器装着時には充電端子の接点部が電子機器側の受電端子表面を擦るように大きく突出させることで充電器の接続不良を防止した充電器構造の提供を目的とする。
【課題を解決するための手段】
【０００５】
本発明の技術的要旨は、電子機器の充電器において、充電器ケース内にスイベルアームを回動軸を介して備え、前記回動軸とは所定の間隔を隔ててスイベルアームに充電端子を連結し、この充電端子の接点部が突出あるいは没入する開口部を充電器ケースに形成し、スイベルアームの回動により充電端子の接点部が電子機器側の受電端子の表面を擦るように移動しながら接続させたことを特徴とする。
スイベルアームを回動させる手段としては、各種構造が適用されるが請求項２記載の構造は、充電器ケース内にて、前記スイベルアームにロッドの一端を連結し、ロッドの移動に伴ってスイベルアームが回動して充電端子の接点部が充電器ケースの開口部より外側に突出するようにした点に特徴がある。
前記ロッドの他端を直接充電器ケースの外部に延在させてもよいが、請求項３記載の構造は、充電器ケースに開口部を形成して、スイングボタンの上部がこの開口部から外部側に突出するように回動自在にスイングボタンを備え、このスイングボタンの下部側に前記ロッドの他端を連結し、電子機器を充電器に装着する際にこの電子機器ケース部に当たりスイングボタンの上部が押し込まれることにより、前記ロッドが移動するようにした点に特徴がある。
請求項４記載の発明は、充電器ケースに電子機器の装着用係止部を形成し、当該電子機器をこの装着用係止部に臨ませた後に、充電器ケースの開口部より外部側に充電端子の接点部が突出し電子機器側の受電端子に直接的に接続するようにしたことを特徴とする。
【０００６】
このように、充電器ケースの開口部から外部に上端を突出させたスイングボタンにロッドを介してスイベルアームを連結し、スイベルアームに充電端子を連結し、この充電端子の接点部（先端）を充電器ケースの開口部に臨ませたので充電器に電子機器を未装着の場合には充電端子の接点部を充電器ケース内に収納出来、電子機器をこの充電器に装着しようとすると、はじめて電子機器のケースにてスイングボタンが押圧されることになるので、この時点では電子機器の受電端子はほぼ位置決めされている。
従って、一般に受電端子は電子機器ケース部に凹部を形成して備えられているが、この凹部に直接的に充電端子が突出、接続し、充電端子が電子機器のケース部に干渉するのを避けることができる。
【０００７】
本発明にてスイベルアームとは、回動体の回動中心軸とロッドの連結位置が異なり、更にこの回動軸及び連結軸とは異なる位置に充電端子が連結されたことを意味する。
回動体の軸中心とロッドとの連結部の間に充電端子を取り付けても回動体の軸中心に対してロッド連結部の外側に充電端子を取り付けてもよく、充電端子の突出ストロークと、接続操作力との調整により選定される。
また、充電端子はトーションバネ等の弾性体を介して取り付けるのが接続性の点でよい。
【０００８】
充電端子がスイベルアームの回動軸中心とは所定の距離を隔てて、このスイベルアームに連結されているので充電端子の接点部動きは、この充電端子の突出方向のみならず、突出方向に対して横方向にも移動し、さらには充電端子のたわみも加わり、充電端子の接点部が電子機器の受電端子の表面を擦るように接続する。
【発明の効果】
【０００９】
本発明に係る携帯電話機等の電子機器の充電器構造においては、電子機器の装着時に電子機器ケース部によるスイングボタンの押し込み動作と連動させて、充電端子の接点部を突出させ、電子機器受電端子に接続するため、非充電時に充電端子接点部は充電器ケース内に収納され外部に露出していないので、接点端子が金属製品にて短絡する恐れや、人が触れることによる不快感または場合によっては発生する傷害を防止できる。
この充電端子の接点部の突出動作は、電子機器ケース部と干渉しないので、電子機器ケース部と充電端子の摺接による充電端子表面への樹脂や塗膜の付着が防止できるため、この膜による接点端子間の接触不良を防ぐことができる。
充電端子接点部の突出動作は、スイベルアームを用い梃子の原理を利用することで操作が軽くなり、更にスイベルアームに充電端子を取り付けたことによりストロークが大きくなる。
これにより、電子機器を装着していない時には充電端子接点部を突出用開口部内に収納して外部に露出させず、充電時には大きなストロークで確実に充電端子を電子機器受電端子に接続させることが容易にできる。
そして、スイベルアームにより充電端子の中心を水平方向にもずらしながら充電端子がバネ付勢されつつ電子機器受電端子上を擦りながら摺動するため、接触不良を防止できる。
【発明を実施するための最良の形態】
【００１０】
本発明が適用される電子機器は、充電式である限りにおいて特に限定されないが、以下携帯電話機用充電器を例に説明する。
充電器１０のケースは樹脂成形された上ケース１２及び下ケース１３を組み合わせて形成され、上ケース１２上面の長手方向端部には一対の爪部１７が設けられ、もう一端にロック部１５が設けられている。
この爪部１７の上面内側方向にはフック１７ａが設けられている。
一方、爪部の反対側のロック部１５には開口部１６が設けられてロックアーム２４が開口部１６から突出していて、フック１７ａに携帯電話機の一端に設けたフック係合凸部４を、携帯電話機の反対側のロックアーム係合凹部５にロックアーム２４を係合させる構造になっている。
また、上ケース１２上面のロック部１５より中央側には開口部１８が設けられ、その開口部１８からスイングボタン２０が突出配置されている。
また、一対の爪部１７の間の上面には一対の充電端子の接点部突出用開口部１４が設けられている。
携帯電話機をこの充電器に装着するとスイングボタン２０が押圧され、充電端子突出用開口部１４から充電端子１１の接点部１１ｂが突出し、携帯電話機側の受電端子に接続する構造になっている。
【００１１】
携帯電話機を充電器に装着時の充電端子の動作を図２（イ）に示す要部分解図及び図３に示す側面から見た要部透視図にて説明する。
図はわかりやすくするため簡略化し、充電端子やバネ等を透視させて表してある。
図２（イ）および携帯電話機を装着する前の状態を表す図３（イ）に示すように、スイングボタン２０が回動軸２０ａを中心に回転可能に上ケース１２に取り付けられ、その下端に設けられている軸２０ｂにてロッド２２の連結部２２ａで連結されている。
なお、図３の例では連結部２２ａはスイングボタンと軸支されているが、ロッドの端部を押すように連結してもよい。
ロッド２２の他の端部は連結部２２ｂにてスイベルアームと軸支２１ｂされている。
充電端子１１を装着したスイベルアームの透視図を図２（ロ）に、また正面図を図２（ハ）に示す。
スイベルアーム２１は回動軸２１ａにてケース側に軸支１９され、この回動軸２１ａとは所定の間隔を隔ててロッド２２と連結軸２１ｂで連結されている。
また、充電端子接点部１１ｂはコイルバネ部１１ａを介してこのスイベルアームに連結されている。
【００１２】
携帯電話機の装着に伴う動作を説明する。
図３（イ）の携帯電話機装着前の状態から、図３（ロ）に示す携帯電話機を装着する状態において、携帯電話機１の凸部４を爪部１７にかけてロックアーム２４に凹部５を係止する際に、スイングボタン２０は携帯電話機ケース部３により充電器ケース１２内方向へへ押し込まれる。
このスイングボタン２０はケース１２内に押し込まれる際に回動軸２０ａを中心に回転し、その回転により下端に設けられている軸２０ｂに連結されているロッド２２が前方に押し出される。
ロッド２２が前方に押し出されるとロッド２２の先端がスイベルアーム２１に連結軸を介して軸支されているのでスイベルアームは回動軸２１ａを中心に回動する。
スイベルアームが回動すると、スイベルアームにコイルバネ部１１ａを介して充電端子１１が取り付けられ、かつ、コイルバネ部の取り付け位置がスイベルアームの回動軸２１ａとずれているので充電端子１１の先端部１１ｂが水平方向に移動しながら突出することになる。
これにより、図３（ロ）の充電器接点端子１１付近の拡大図を図４（イ）に示すように充電端子の接点部１１ｂがスイベルアーム２１の回動に伴い突出用開口部１４へ向けて移動する。
そして充電端子の接点部１１ｂが携帯電話機受電端子２へ当接するが、スイベルアーム２１は更に回動を続けるため、充電端子１１がコイルバネ部１１ａによりバネ変形するとともに、バネ付勢により携帯電話機受電端子２へ押圧された状態で、携帯電話機受電端子２の表面に沿って摺動を開始する。
携帯電話機受電端子２表面は、充電端子接点部１１ｂにより擦り付けられるため、汚れや絶縁性皮膜形成による接触不良は防止される。
図３（イ）において、携帯電話機未装着時は充電端子接点部１１ｂはケース１２内に収納されているため、携帯電話機ケース部３と充電端子接点部１１ｂとが干渉することはなく、そして携帯電話機の接点端子２を爪部１７にてほぼ位置決めした後にスイングボタン２０を押し込んで充電端子接点部１１ｂが突出する構造であることから、充電端子接点部１１ｂが携帯電話機ケース部３と擦れることによる樹脂や塗膜の付着は防止される。
なお、携帯電話機を充電器から取り外すと、図２に示したロッド復帰バネ２３によりスイングボタンが元にもどる。
携帯電話機１を充電器１０に装着した状態を図３（ハ）に示し、図３（ハ）の充電端子１１付近拡大図を図４（ロ）に示す。
図４（ロ）において、充電端子接点部１１ｂはＡで示す距離を摺動している。
スイベルアーム２１を揺動させるロッド２２を、コイルバネ１１ａの連結部より外側に力点として連結することで、梃子の原理が働き、軽い操作でコイルバネ１１ａ及び充電端子接点部１１ｂを上昇突出させることができる。
また、充電端子１１の動作ストロークは、スイベルアーム２１の回動軸２１ａから、コイルバネ部１１ａを経て充電端子接点部１１ｂにいたるまでが回転動作する大きなストロークとすることができるため充電端子接点部１１ｂの突出量を大きくできる。
【図面の簡単な説明】
【００１３】
【図１】本発明に係る携帯電話機用充電器の外観斜視図を示す。
【図２】（イ）本発明に係る携帯電話機用充電器のケースと充電端子部分の要部分解図を示す。（ロ）スイベルアームの透視図を示す。（ハ）スイベルアームの正面図を示す。
【図３】充電器に携帯電話機を装着する際の充電端子の動作を表す側面から見た要部透過図で（イ）は携帯電話機の装着前を、（ロ）は携帯電話機を装着しようとしている状態を（ハ）は携帯電話機を装着した状態を示す。
【図４】（イ）は図３（ロ）の充電端子付近の拡大図を（ロ）は図３（ハ）の充電端子付近の拡大図を示す。
【符号の説明】
【００１４】
１      携帯電話機
２      携帯電話機受電端子
３      携帯電話機ケース部
４      携帯電話機のフック係合凸部
５      携帯電話機のロックアーム係合凹部
１０    充電器
１１    充電端子
１１ａ  コイルバネ部
１１ｂ  充電端子の接点部
１２    充電器上ケース
１３    充電器下ケース
１４    充電端子用ケース開口部
１５    ロック部
１６    ロック用ケース開口部
１７    爪部
１７ａ  フック
１８    スイングボタン用ケース開口部
１９    ケースのスイベルアーム軸支部
２０    スイングボタン
２０ａ  スイングボタン回動軸
２０ｂ  スイングボタンとロッドの連結軸
２１    スイベルアーム
２１ａ  スイベルアーム回動軸
２１ｂ  スイベルアームとロッドの連結軸
２２    ロッド
２２ａ、２２ｂ  ロッド連結部
２３    ロッド復帰バネ
２４    ロックアーム
【図１】
2005117703.tif 000003
【図２】
2005117703.tif 000004
【図３】
2005117703.tif 000005
【図４】
2005117703.tif 000006